(57)【要約】【課題】記録ヘッドと記録媒体とのギャップを短い距離に保ったままインク滴への電界の影響を軽減する。【解決手段】ベルト帯電手段ＶＣ１及びＶＣ２によって帯電された搬送ベルトＶ１ａ〜Ｖ１ｄ及びＶ２ａ〜Ｖ２ｄの外周面に吸着させて搬送される記録媒体Ｐに記録を行うようにしたインクジェット記録装置であって、記録媒体搬送手段ＣＶは、搬送ベルトＶ１ａ〜Ｖ１ｄを主走査方向Ｙに互いに所定間隔を保って併設した第１の搬送部ＣＶ１と、搬送方向Ｘで第１の搬送部ＣＶ１に連接し、搬送ベルトＶ２ａ〜Ｖ２ｄを、主走査方向Ｙに互いに所定間隔を保って且つ主走査方向Ｙに搬送ベルトＶ１ａ〜Ｖ１ｄとは交互に並ぶように併設した第２の搬送部ＣＶ２とで構成され、搬送ベルトＶ１ａ〜Ｖ１ｄ間に対向する位置に第１のヘッドＨＤ１を配設し、搬送ベルトＶ２ａ〜Ｖ２ｄ間に対向する位置に第２のヘッドＨＤ２を配設した。【選択図】  図１
2006256108.tif 000002
【特許請求の範囲】
【請求項１】
無端状の搬送ベルトを帯電させるベルト帯電手段と、前記搬送ベルトを備えて前記ベルト帯電手段によって帯電された当該搬送ベルトの外周面に吸着させた記録媒体を搬送する記録媒体搬送手段と、該記録媒体搬送手段で搬送される前記記録媒体の搬送面とは反対側の面である記録面にギャップを介して対向して配設されるとともに、インク滴を吐出する複数のノズルを前記記録媒体の搬送方向とは交差する方向に配列し、前記記録媒体の搬送方向と直交する主走査方向に１列に整列するドット列を移動することなく形成可能に構成された記録ヘッドとを備えたインクジェット記録装置であって、
前記記録媒体搬送手段は、複数本の前記搬送ベルトを前記主走査方向に互いに所定間隔を保って併設した第１の搬送部と、前記記録媒体の搬送方向で前記第１の搬送部に連接し、複数本の前記搬送ベルトを、前記主走査方向に互いに所定間隔を保って且つ前記主走査方向に前記第１の搬送部における前記複数の搬送ベルトとは交互に並ぶように併設した第２の搬送部とで構成され、
前記記録ヘッドは、前記第１の搬送部における搬送ベルト間に対向する位置に配設された第１のヘッドと、前記第２の搬送部における搬送ベルト間に対向する位置に配設された第２のヘッドとで構成されていることを特徴とするインクジェット記録装置。
【請求項２】
前記第１の搬送部は、駆動軸と該駆動軸の前記搬送方向の上流側に配設される第１の従動軸との間に前記複数の搬送ベルトを張設した構成を有し、
前記第２の搬送部は、前記駆動軸と該駆動軸の前記搬送方向の下流側に配設される第２の従動軸との間に前記複数の搬送ベルトを、前記第１の搬送部における前記複数の搬送ベルトとは前記駆動軸上で交互に並ぶように張設した構成を有し、
前記ベルト帯電手段は、前記第１の搬送部及び前記第２の搬送部の両方の前記搬送ベルトを挟んで前記駆動軸と対向する位置に配設されて、当該両方の搬送ベルトを同時に帯電可能に構成されていることを特徴とする請求項１に記載のインクジェット記録装置。
【発明の詳細な説明】
【技術分野】
【０００１】
本発明は、記録媒体を静電気の作用で搬送ベルトに吸着させて搬送し、この記録媒体に記録ヘッドからインク滴を吐出して記録を行うようにしたインクジェット記録装置に関する。
【背景技術】
【０００２】
従来のインクジェット記録装置では、例えば、インクをインク滴として吐出させる記録ヘッドと、静電気の作用で搬送ベルトの外周面に吸着される記録媒体を搬送する記録媒体搬送手段とを有し、記録ヘッドと記録媒体との間のギャップ近傍に電極を配設し、この電極に交流電圧を印加することにより、記録ヘッドから吐出されたインク滴内の電荷を強制的に中和して、記録媒体と記録ヘッドとの間にある電界の影響を受けずにインク滴を飛行させるようにした構成が知られている（例えば、特許文献１参照）。
【特許文献１】特開平４−８３６４４号公報（第２頁、第３図（ａ）〜（ｃ））
【発明の開示】
【発明が解決しようとする課題】
【０００３】
しかしながら、上記特許文献１に記載された従来例では、記録ヘッドと記録媒体との間に交流電圧を印加する電極を配設するようにしているので、記録ヘッドと記録媒体との間のギャップを適正距離に設定すると、電極と記録媒体との間の距離が狭くなり、電極と記録媒体とが接触して記録媒体の搬送が阻害されるおそれがある。
これを避けるために記録ヘッドと記録媒体との間のギャップを長い距離に設定すると、記録ヘッドから吐出されるインク滴の飛行距離が長くなるため、インク滴サイズの違いによる着弾位置のズレが目立つようになってしまう。つまり、高画質化するには、インク滴を２種類以上のサイズに打ち分けてドットサイズを変えるようにするのが一般的であるが、インク滴のサイズを変えると飛行速度も変わるため、飛行距離が長いと着弾位置のズレが目立つことになる。
【０００４】
すなわち、上記特許文献１に記載された従来例では、記録ヘッドから吐出されたインク滴が電界の影響を受けることなく、記録ヘッドと記録媒体とのギャップを短い距離に保つことが困難であるという未解決の課題がある。
本発明は、上記従来例の未解決の課題に着目してなされたものであり、記録ヘッドと記録媒体とのギャップを短い距離に保ちつつ、記録ヘッドから吐出されたインク滴が電界の影響を受けにくいインクジェット記録装置を提供することを目的とする。
【課題を解決するための手段】
【０００５】
第１の発明は、無端状の搬送ベルトを帯電させるベルト帯電手段と、前記搬送ベルトを備えて前記ベルト帯電手段によって帯電された当該搬送ベルトの外周面に吸着させた記録媒体を搬送する記録媒体搬送手段と、該記録媒体搬送手段で搬送される前記記録媒体の搬送面とは反対側の面である記録面にギャップを介して対向して配設されるとともに、インク滴を吐出する複数のノズルを前記記録媒体の搬送方向とは交差する方向に配列し、前記記録媒体の搬送方向と直交する主走査方向に１列に整列するドット列を移動することなく形成可能に構成された記録ヘッドとを備えたインクジェット記録装置であって、前記記録媒体搬送手段は、複数本の前記搬送ベルトを前記主走査方向に互いに所定間隔を保って併設した第１の搬送部と、前記記録媒体の搬送方向で前記第１の搬送部に連接し、複数本の前記搬送ベルトを、前記主走査方向に互いに所定間隔を保って且つ前記主走査方向に前記第１の搬送部における前記複数の搬送ベルトとは交互に並ぶように併設した第２の搬送部とで構成され、前記記録ヘッドは、前記第１の搬送部における搬送ベルト間に対向する位置に配設された第１のヘッドと、前記第２の搬送部における搬送ベルト間に対向する位置に配設された第２のヘッドとで構成されていることを特徴とする。
【０００６】
この第１の発明では、記録ヘッドは、第１のヘッド及び第２のヘッドが、それぞれ第１の搬送部における搬送ベルト間及び第２の搬送部における搬送ベルト間に対向する位置に配設された構成を有している。つまり、記録ヘッドのノズルが形成されている面であるノズル面が搬送ベルトに対向していないため、搬送ベルトを帯電させても、この搬送ベルトとノズル面との間には電界が形成されにくい。
【０００７】
従って、記録ヘッドと記録媒体とのギャップを短い距離に保ったまま、ノズルから吐出されるインク滴を、電界の影響が小さく抑えられた状態で記録媒体に着弾させることが可能となる。
第２の発明は、第１の発明において、前記第１の搬送部は、駆動軸と該駆動軸の前記搬送方向の上流側に配設される第１の従動軸との間に前記複数の搬送ベルトを張設した構成を有し、前記第２の搬送部は、前記駆動軸と該駆動軸の前記搬送方向の下流側に配設される第２の従動軸との間に前記複数の搬送ベルトを、前記第１の搬送部における前記複数の搬送ベルトとは前記駆動軸上で交互に並ぶように張設した構成を有し、前記ベルト帯電手段は、前記第１の搬送部及び前記第２の搬送部の両方の前記搬送ベルトを挟んで前記駆動軸と対向する位置に配設されて、当該両方の搬送ベルトを同時に帯電可能に構成されていることを特徴とする。
【０００８】
この第２の発明では、第１の搬送部及び第２の搬送部は、それぞれの搬送ベルトが駆動軸と第１の従動軸との間及び駆動軸と第２の従動軸との間に、駆動軸上で交互に並ぶように張設されている。そして、第１の搬送部及び第２の搬送部の両方の搬送ベルトは、これら両方の搬送ベルトを挟んで駆動軸に対向する位置に配設されたベルト帯電手段によって、同時に帯電される。
【０００９】
従って、搬送ベルトごとにベルト帯電手段を設ける場合に比較して、ベルト帯電手段を最少の個数で構成することが可能となる。
【発明を実施するための最良の形態】
【００１０】
本発明の第１実施形態を図面に基づいて説明する。
本発明の第１実施形態におけるインクジェット記録装置１は、平面図である図１（ａ）及び正面図である図１（ｂ）に示すように、ゲートローラＧＲと、用紙搬送部ＣＶと、第１の記録ヘッドＨＤ１及び第２の記録ヘッドＨＤ２と、第１のベルト帯電部ＶＣ１及び第２のベルト帯電部ＶＣ２とを備えている。なお、この図１（ａ）において、Ｘ方向は、図１（ｂ）に示す記録用紙Ｐの搬送方向を示し、Ｙ方向は、Ｘ方向と直交する主走査方向を示している。
【００１１】
また、インクジェット記録装置１は、ブロック図である図２に示すように、給紙部ＫＳと、第１の搬送部駆動モーターＭ１及び第２の搬送部駆動モーターＭ２と、用紙検出部ＰＫと、排紙部ＥＪと、外部機器からの記録情報を格納する記録情報格納部ＢＦと、をさらに備えている。
ここで、上記の各構成の詳細を説明する。
【００１２】
用紙搬送部ＣＶは、平面図である図３に示すように、第１の搬送部ＣＶ１と、第１の搬送部ＣＶ１のＸ方向下流側で第１の搬送部ＣＶ１に連接する第２の搬送部ＣＶ２とで構成されている。
第１の搬送部ＣＶ１は、第１の搬送部駆動モーターＭ１から動力が伝達される第１の駆動軸ＤＳ１と、第１の駆動軸ＤＳ１のＸ方向上流側に配設される第１の従動軸ＦＳ１との間に、搬送ベルトＶ１ａ〜Ｖ１ｄを張設した構成を有している。
【００１３】
搬送ベルトＶ１ａ〜Ｖ１ｄは、図３に示すように、第１の駆動軸ＤＳ１及び第１の従動軸ＦＳ１上に設けられたフランジ部ＦＬによってＹ方向の位置が規制され、これら搬送ベルトＶ１ａ〜Ｖ１ｄ同士の間が所定間隔Ｈ（以下、ベルト間隔Ｈと呼ぶ）に保たれている。
第２の搬送部ＣＶ２は、第１の搬送部ＣＶ１と同様に、第２の搬送部駆動モーターＭ２から動力が伝達される第２の駆動軸ＤＳ２と、第２の駆動軸ＤＳ２のＸ方向上流側に配設される第２の従動軸ＦＳ２との間に、搬送ベルトＶ２ａ〜Ｖ２ｄを、これら搬送ベルトＶ２ａ〜Ｖ２ｄ同士間がフランジ部ＦＬによってベルト間隔Ｈに保たれるように、且つ搬送ベルトＶ１ａ〜Ｖ１ｄとはＹ方向に交互に並ぶように張設した構成を有している。
【００１４】
なお、フランジ部ＦＬの厚みは、記録用紙Ｐの搬送が妨げられないように搬送ベルトＶ１ａ〜Ｖ１ｄ及びＶ２ａ〜Ｖ２ｄの厚みより薄く設定されている。
第１及び第２の搬送部駆動モーターＭ１及びＭ２は、図２に示すように、それぞれＣＰＵから搬送部駆動指令を受けたモーター制御部ＭＤによって個別に駆動が制御され、第１及び第２の搬送部ＣＶ１及びＣＶ２を駆動する。
【００１５】
すなわち、第１の搬送部ＣＶ１は、搬送ベルトＶ１ａ〜Ｖ１ｄが第１の搬送部駆動モーターＭ１の動力によって、図１（ｂ）で見て反時計方向に回転され、記録用紙Ｐを第１の従動軸ＦＳ１から第１の駆動軸ＤＳ１を経て第２の搬送部ＣＶ２へ送り渡す。
また、第２の搬送部ＣＶ２は、搬送ベルトＶ２ａ〜Ｖ２ｄが第２の搬送部駆動モーターＭ２の動力によって、図１（ｂ）で見て反時計方向に回転され、第１の搬送部ＣＶ１から送り渡された記録用紙Ｐを第２の従動軸ＦＳ２から第２の駆動軸ＤＳ２を経て後述する排紙部ＥＪへ送り渡す。
【００１６】
第１及び第２の記録ヘッドＨＤ１及びＨＤ２は、図１（ａ）及び図１（ｂ）に示すように、それぞれＹ方向に整列する４つのヘッドユニットＨＵを備えている。
ここで、各ヘッドユニットＨＵに設けられているノズルの配列について説明する。
各ヘッドユニットＨＵは、第１の記録ヘッドＨＤ１の底面図である図４に示すように、イエロー色、マゼンタ色、シアン色及びブラック色のそれぞれのインク滴を吐出するノズルＮＺＹ、ＮＺＭ、ＮＺＣ及びＮＺＫがＸ方向に所定間隔で形成されている。さらに、これらのノズルＮＺＹ、ＮＺＭ、ＮＺＣ及びＮＺＫは、それぞれＹ方向に所定間隔で配列形成されて色ごとのノズル列を構成している。
【００１７】
なお、この図４において、構成をわかりやすく示すため、ノズルＮＺＹ、ＮＺＭ、ＮＺＣ及びＮＺＫの大きさを誇張して且つ個数を減じて図示している。
第１及び第２の記録ヘッドＨＤ１及びＨＤ２は、図１（ａ）及び（ｂ）に示すように、それぞれ第１及び第２の搬送部ＣＶ１及びＣＶ２上に４つのヘッドユニットＨＵを、これらヘッドユニットＨＵのノズルＮＺＹ、ＮＺＭ、ＮＺＣ及びＮＺＫが形成されている面であるノズル面を記録用紙Ｐの記録面ＰＰに向けて、ノズル面と記録面ＰＰとの間に所定のギャップを保って配設した構成を有している。
【００１８】
そして、第１の記録ヘッドＨＤ１は、図１（ａ）に示すように、搬送ベルトＶ１ａとＶ１ｂとの間、搬送ベルトＶ１ｂとＶ１ｃとの間及び搬送ベルトＶ１ｃとＶ１ｄとの間にそれぞれヘッドユニットＨＵが１つずつ配設され、搬送ベルトＶ１ｄの外側に１つのヘッドユニットＨＵが配設されている。
また、第２の記録ヘッドＨＤ２は、図１（ａ）に示すように、搬送ベルトＶ２ａとＶ２ｂとの間、搬送ベルトＶ２ｂとＶ２ｃとの間及び搬送ベルトＶ２ｃとＶ２ｄとの間にそれぞれヘッドユニットＨＵが１つずつ配設され、搬送ベルトＶ２ａの外側に１つのヘッドユニットＨＵが配設されている。
【００１９】
ここで、各ヘッドユニットＨＵは、図４に示すように、Ｙ方向における幅が所定の寸法Ｈ２に設定されている。そして、この寸法Ｈ２は、図３に示すベルト間隔Ｈとの間に、Ｈ＞Ｈ２なる関係を有している。つまり、各ヘッドユニットＨＵのノズル面は、搬送ベルトＶ１ａ〜Ｖ１ｄ及びＶ２ａ〜Ｖ２ｄに対向していない。
また、これらのヘッドユニットＨＵは、図１（ａ）に示す第１の記録ヘッドＨＤ１をＸ方向に平行移動して第１の記録ヘッドＨＤ１と第２の記録ヘッドＨＤ２とをＹ方向に整列させると、図５に示すように、各ヘッドユニットＨＵのノズル列がＹ方向に整列して、各色１本のノズル列を構成する。なお、この図５において、構成をわかりやすく示すため、第２の記録ヘッドＨＤ２のヘッドユニットＨＵの外形線を二点鎖線で図示した。
【００２０】
また、これらのヘッドユニットＨＵとしては、圧電素子、加熱素子等によりインクに圧力を付与してインク滴を吐出するヘッドユニットを採用することができる。
上記の構成を有する第１及び第２の記録ヘッドＨＤ１及びＨＤ２は、図２に示すように、それぞれＣＰＵから記録指令を受けた記録ヘッド制御部ＨＤＤによって個別に制御され、外部機器からの記録情報に基づいて、多数のノズルＮＺＹ、ＮＺＭ、ＮＺＣ及びＮＺＫから選択的にインク滴を吐出させて記録を行う。
【００２１】
第１及び第２のベルト帯電部ＶＣ１及びＶＣ２は、例えば、コロナ放電を利用して誘電体を帯電させるコロトロンなどで構成され、図１（ｂ）に示すように、それぞれ第１及び第２の搬送部ＣＶ１及びＣＶ２の下側で、帯電側を搬送ベルトＶ１ａ〜Ｖ１ｄ及びＶ２ａ〜Ｖ２ｄの外周面に向けて配設されている。
これらの第１及び第２のベルト帯電部ＶＣ１及びＶＣ２は、図１（ａ）に示すように、第１のベルト帯電部ＶＣ１が搬送ベルトＶ１ａ〜Ｖ１ｄをまたぐ長さを有し、第２のベルト帯電部ＶＣ２が搬送ベルトＶ２ａ〜Ｖ２ｄをまたぐ長さを有している。そして、これらの第１及び第２のベルト帯電部ＶＣ１及びＶＣ２は、図２に示すように、それぞれＣＰＵからベルト帯電指令を受けたベルト帯電制御部ＶＣＤによって個別に制御され、搬送ベルトＶ１ａ〜Ｖ１ｄ及び搬送ベルトＶ２ａ〜Ｖ２ｄを帯電させる。
【００２２】
給紙部ＫＳは、図２に示すように、ＣＰＵから給紙指令を受けた給紙制御部ＫＳＤによって動作が制御され、記録用紙Ｐが格納されている図示しない用紙カセット、用紙トレイ等から記録用紙Ｐを１枚ずつ後述するゲートローラＧＲに供給する。
ゲートローラＧＲは、図１（ａ）及び（ｂ）に示すように、第１の搬送部ＣＶ１のＸ方向上流側に配設され、互いに外周を接し合って回転する一対のローラを備えた構成を有している。このゲートローラＧＲは、給紙部ＫＳによって記録用紙Ｐが一対のローラ間に突き当てられるように供給されると、この記録用紙ＰのＸ方向に対する傾き及びＹ方向の位置ずれを矯正するスキュー補正を行う。
【００２３】
そして、このゲートローラＧＲは、図２に示すように、所定のタイミングでＣＰＵから用紙供給指令を受けたゲートローラ制御部ＧＲＤによって駆動が制御され、スキュー補正を行った記録用紙Ｐを第１の搬送部ＣＶ１に供給する。
図２に示す排紙部ＥＪは、第２の搬送部ＣＶ２のＸ方向下流側に配設され、ＣＰＵから排紙指令を受けた排紙制御部ＥＪＤによって駆動が制御され、搬送ベルトＶ２ａ〜Ｖ２ｄによって搬送されてきた記録用紙Ｐをインクジェット記録装置１外へ排出する。
【００２４】
上述した構成を有するインクジェット記録装置１は、図１（ａ）及び（ｂ）に示すように、搬送ベルトＶ１ａ〜Ｖ１ｄ及び搬送ベルトＶ２ａ〜Ｖ２ｄ上に吸着載置されて第１及び第２の記録ヘッドＨＤ１及びＨＤ２下をＸ方向に搬送される記録用紙Ｐの記録面ＰＰに向けてインク滴を吐出させて記録を行う。
このインクジェット記録装置１における記録の動作について、以下に説明する。
【００２５】
インクジェット記録装置１は、外部機器から記録情報及び記録指令を受けると、図２に示すＣＰＵが図６に示す記録処理を開始することによって記録の動作が開始される。
この記録処理では、まず、ステップＳ１において、モーター制御部ＭＤに搬送部駆動指令を出力し、搬送ベルトＶ１ａ〜Ｖ１ｄ及び搬送ベルトＶ２ａ〜Ｖ２ｄのそれぞれが図１（ｂ）で見て反時計方向に回転するように第１及び第２の搬送部駆動モーターＭ１及びＭ２を駆動させてステップＳ２に移行する。
【００２６】
このステップＳ２において、給紙制御部ＫＳＤに給紙指令を出力し、給紙部ＫＳに記録用紙ＰをゲートローラＧＲへ供給させてステップＳ３に移行する。
このステップＳ３において、搬送ベルトＶ１ａ〜Ｖ１ｄ及び搬送ベルトＶ２ａ〜Ｖ２ｄの搬送速度が一定になったか否かを判定し、一定になった（ＹＥＳ）と判定されると、ステップＳ４に移行し、一定になっていない（ＮＯ）と判定されると、搬送速度が一定になるまで待機する。
【００２７】
ステップＳ４において、ベルト帯電制御部ＶＣＤに第１ベルト帯電指令を出力し、第１のベルト帯電部ＶＣ１に搬送ベルトＶ１ａ〜Ｖ１ｄの帯電を開始させてステップＳ５に移行する。
このステップＳ５において、図２に示すＣＰＵが備えているタイマーＴｍを起動して時間Ｔｐの計測を開始し、ステップＳ６に移行する。
【００２８】
このステップＳ６において、タイマーＴｍによって計測される時間Ｔｐが用紙供給タイミングＴｓに達したか否かを判定し、達した（ＹＥＳ）と判定されると、ステップＳ７に移行し、達していない（ＮＯ）と判定されると、用紙供給タイミングＴｓに達するまで待機する。
ここで、用紙供給タイミングＴｓとは、ゲートローラＧＲに記録用紙Ｐの搬送ベルトＶ１ａ〜Ｖ１ｄへの供給を開始させるタイミングである。
【００２９】
ステップＳ７において、ゲートローラ制御部ＧＲＤに用紙供給指令を出力し、ゲートローラＧＲに記録用紙Ｐを搬送ベルトＶ１ａ〜Ｖ１ｄへ供給させてステップＳ８に移行する。
このステップＳ８において、計測時間Ｔｐが所定時間Ｔ１に達したか否かを判定し、達した（ＹＥＳ）と判定されると、ステップＳ９に移行し、達していない（ＮＯ）と判定されると、所定時間Ｔ１に達するまで待機する。
【００３０】
ここで、所定時間Ｔ１は、第１の記録ヘッドＨＤ１に記録用紙Ｐへの記録を開始させるタイミングである。
ステップＳ９において、記録ヘッド制御部ＨＤＤに第１記録指令を出力し、第１の記録ヘッドＨＤ１に、記録情報に基づく記録を開始させてステップＳ１０に移行する。
このステップＳ１０において、計測時間Ｔｐが所定時間Ｔｃに達したか否かを判定し、達した（ＹＥＳ）と判定されると、ステップＳ１１に移行し、達していない（ＮＯ）と判定されると、所定時間Ｔｃに達するまで待機する。
【００３１】
ここで、所定時間Ｔｃは、第２のベルト帯電部ＶＣ２に搬送ベルトＶ２ａ〜Ｖ２ｄの帯電を開始させるタイミングである。
ステップＳ１１において、ベルト帯電制御部ＶＣＤに第２ベルト帯電指令を出力し、第２のベルト帯電部ＶＣ２に搬送ベルトＶ２ａ〜Ｖ２ｄの帯電を開始させてステップＳ１２に移行する。
【００３２】
このステップＳ１２において、計測時間Ｔｐが所定時間Ｔ２に達したか否かを判定し、達した（ＹＥＳ）と判定されると、ステップＳ１３に移行し、達していない（ＮＯ）と判定されると、所定時間Ｔ２に達するまで待機する。
ここで、所定時間Ｔ２は、第２の記録ヘッドＨＤ２に記録用紙Ｐへの記録を開始させるタイミングである。
【００３３】
ステップＳ１３において、記録ヘッド制御部ＨＤＤに第２記録指令を出力し、第２の記録ヘッドＨＤ２に、記録情報に基づく記録を開始させてステップＳ１４に移行する。
このステップＳ１４において、計測時間Ｔｐが所定時間Ｔｅに達したか否かを判定し、達した（ＹＥＳ）と判定されると、ステップＳ１５に移行し、達していない（ＮＯ）と判定されると、所定時間Ｔｅに達するまで待機する。
【００３４】
ここで、所定時間Ｔｅは、排紙部ＥＪに記録用紙Ｐのインクジェット記録装置１外への排出を開始させるタイミングである。
ステップＳ１５において、排紙制御部ＥＪＤに排紙指令を出力し、排紙部ＥＪに記録が終了した記録用紙Ｐをインクジェット記録装置１外へ排出させてステップＳ１６に移行する。
【００３５】
このステップＳ１６において、タイマーＴｍをリセットしてステップＳ１７に移行する。
このステップＳ１７において、記録情報のすべてに対する記録が終了したか否かを判定し、終了した（ＹＥＳ）と判定されると、処理を終了し、終了していない（ＮＯ）と判定されると、ステップＳ２に移行する。
【００３６】
なお、第１実施形態において、第１の記録ヘッドＨＤ１及び第２の記録ヘッドＨＤ２がそれぞれ第１のヘッド及び第２のヘッドに対応している。
第１実施形態のインクジェット記録装置１では、第１及び第２の記録ヘッドＨＤ１及びＨＤ２は、それぞれヘッドユニットＨＵを、第１の搬送部ＣＶ１上で搬送ベルトＶ１ａ〜Ｖ１ｄ間及び第２の搬送部ＣＶ２上で搬送ベルトＶ２ａ〜Ｖ２ｄ間に配設した構成を有している。つまり、各ヘッドユニットＨＵのノズル面は、搬送ベルトＶ１ａ〜Ｖ１ｄ及び搬送ベルトＶ２ａ〜Ｖ２ｄに対向していない。
【００３７】
すなわち、搬送ベルトＶ１ａ〜Ｖ１ｄ及びＶ２ａ〜Ｖ２ｄを帯電させても、これら搬送ベルトＶ１ａ〜Ｖ１ｄ及びＶ２ａ〜Ｖ２ｄと各ヘッドユニットＨＵのノズル面との間には電界が形成されにくい。
従って、ノズルＮＺＹ、ＮＺＭ、ＮＺＣ及びＮＺＫから吐出されたインク滴を、電界の影響が極めて小さく抑えられた状態で記録用紙Ｐの記録面ＰＰに着弾させることができ、ノズル面と記録用紙Ｐとのギャップを短い距離に保ったまま画質を損なうことなく記録を行うことが可能となる。
【００３８】
なお、第１実施形態では、搬送ベルトＶ１ａ〜Ｖ１ｄ及びＶ２ａ〜Ｖ２ｄを、それぞれ第１の駆動軸ＤＳ１及び第１の従動軸ＦＳ１並びに第２の駆動軸ＤＳ２及び第２の従動軸ＦＳ２に直接かけ渡す構成としたが、これに限定されず、搬送ベルトＶ１ａ〜Ｖ１ｄ及びＶ２ａ〜Ｖ２ｄをタイミングベルトとし、それぞれタイミングベルト用滑車を介して第１の駆動軸ＤＳ１及び第１の従動軸ＦＳ１並びに第２の駆動軸ＤＳ２及び第２の従動軸ＦＳ２にかけ渡す構成としてもよい。
【００３９】
また、第１実施形態では、第１の搬送部ＣＶ１と第２の搬送部ＣＶ２とを、それぞれ第１の搬送部駆動モーターＭ１及び第２の搬送部駆動モーターＭ２で独立して駆動するように構成したが、これに限定されず、第１の搬送部ＣＶ１及び第２の搬送部ＣＶ２の一方をモーターで駆動し、その回転動力を、チェーン及びスプロケットやタイミングベルト及びタイミングベルト用滑車などで他方に伝達する構成としてもよい。
【００４０】
本発明の第２実施形態を図面に基づいて説明する。
第２実施形態におけるインクジェット記録装置１０は、ブロック図である図７に示すように、第１及び第２の搬送部ＣＶ１及びＣＶ２を同時に駆動する搬送部駆動モーターＭ０と、搬送ベルトＶ１ａ〜Ｖ１ｄ及びＶ２ａ〜Ｖ２ｄを同時に帯電させるベルト帯電部ＶＣとを備え、第１実施形態におけるインクジェット記録装置１の用紙検出部ＰＫ及び用紙検出制御部ＰＫＤが省略されている。
【００４１】
このインクジェット記録装置１０は、平面図である図８（ａ）に示すように、第１実施形態における第２の搬送部ＣＶ２において、第２の搬送部駆動モーターＭ２及び第２の駆動軸ＤＳ２が省略され、搬送ベルトＶ２ａ〜Ｖ２ｄが駆動軸ＤＳと第２の従動軸ＦＳ２との間に、搬送ベルトＶ１ａ〜Ｖ１ｄとは駆動軸ＤＳ上でフランジ部ＦＬによって隙間があけられて交互に並ぶように張設されている。
【００４２】
ベルト帯電部ＶＣは、正面図である図８（ｂ）に示すように、用紙搬送部ＣＶの下側で搬送ベルトＶ１ａ〜Ｖ１ｄ及びＶ２ａ〜Ｖ２ｄを挟んで駆動軸ＤＳに対向する位置に配設されている。このベルト帯電部ＶＣは、底面図である図９に示すように、搬送ベルトＶ１ａ〜Ｖ１ｄ及びＶ２ａ〜Ｖ２ｄをまたぐ長さを有し、これら搬送ベルトＶ１ａ〜Ｖ１ｄ及びＶ２ａ〜Ｖ２ｄをＹ方向にまたいで配設されている。
【００４３】
つまり、第２実施形態におけるインクジェット記録装置１０は、上記の構成の違いを除いては第１実施形態におけるインクジェット記録装置１と同様の構成を有している。
従って、第１実施形態に対応する部分には同一符号を付して、その説明を省略する。
このインクジェット記録装置１０における記録処理では、図６に示す第１実施形態での記録処理のステップＳ１において、モーター制御部ＭＤに搬送部駆動指令を出力し、駆動軸ＤＳが図８（ｂ）で見て反時計方向に回転するように搬送部駆動モーターＭ０を駆動させる。このとき、搬送ベルトＶ１ａ〜Ｖ１ｄ及びＶ２ａ〜Ｖ２ｄは、それぞれ図８（ｂ）で見て反時計方向に回転される。
【００４４】
また、ステップＳ４において、ベルト帯電制御部ＶＣＤにベルト帯電指令を出力し、ベルト帯電部ＶＣに搬送ベルトＶ１ａ〜Ｖ１ｄ及びＶ２ａ〜Ｖ２ｄの帯電を開始させる。このとき、搬送ベルトＶ１ａ〜Ｖ１ｄ及びＶ２ａ〜Ｖ２ｄは、ベルト帯電部ＶＣによって同時に帯電される。
また、インクジェット記録装置１０における記録処理では、図６に示す記録処理のステップＳ１０及びＳ１１の処理が省略される。
【００４５】
第２実施形態におけるインクジェット記録装置１０では、第１の搬送部ＣＶ１及び第２の搬送部ＣＶ２が共通の駆動軸ＤＳ及び搬送部駆動モーターＭ０によって同時に駆動され、搬送ベルトＶ１ａ〜Ｖ１ｄ及びＶ２ａ〜Ｖ２ｄがベルト帯電部ＶＣによって同時に帯電される。
従って、インクジェット記録装置１０では、第１実施形態におけるインクジェット記録装置１に比較して、用紙搬送部ＣＶを簡易な構成とすることができるとともに、搬送ベルトＶ１ａ〜Ｖ１ｄ及びＶ２ａ〜Ｖ２ｄを最少の個数のベルト帯電部ＶＣで効率よく帯電させることができる。
【００４６】
なお、第２実施形態では、搬送ベルトＶ１ａ〜Ｖ１ｄ及びＶ２ａ〜Ｖ２ｄを、それぞれ駆動軸ＤＳ及び第１の従動軸ＦＳ１並びに駆動軸ＤＳ及び第２の従動軸ＦＳ２に直接かけ渡す構成としたが、これに限定されず、搬送ベルトＶ１ａ〜Ｖ１ｄ及びＶ２ａ〜Ｖ２ｄをタイミングベルトとし、それぞれタイミングベルト用滑車を介して駆動軸ＤＳ及び第１の従動軸ＦＳ１並びに駆動軸ＤＳ及び第２の従動軸ＦＳ２にかけ渡す構成としてもよい。
【００４７】
また、第１及び第２実施形態では、第１の搬送部ＣＶ１及び第２の搬送部ＣＶ２がそれぞれ４本の搬送ベルトＶ１ａ〜Ｖ１ｄ及びＶ２ａ〜Ｖ２ｄを備えた場合を例に説明したが、搬送ベルトの本数はこれに限定されず、１本以上の任意の本数とすることができる。また、第１の搬送部ＣＶ１の搬送ベルトＶ１ａ〜Ｖ１ｄと第２の搬送部ＣＶ２の搬送ベルトＶ２ａ〜Ｖ２ｄとの本数は、同数でなくてもよく、例えば、一方が２本で他方が３本など、それぞれ任意の本数とすることができる。
【００４８】
また、第１及び第２実施形態では、第１及び第２の記録ヘッドＨＤ１及びＨＤ２が、それぞれブラック色、シアン色、マゼンタ色及びイエロー色の４色のインク滴を吐出するヘッドユニットＨＵを備えた場合を例に説明したが、ヘッドユニットＨＵはこれに限定されず、これにライトシアン色及びライトマゼンタ色を加えた６色等、任意の色数のインク滴を吐出するヘッドユニットを適用することができる。
【００４９】
また、記録媒体は記録用紙Ｐに限らず、インク滴が付着してドットを形成できるものであれば、任意の記録媒体を適用することができる。
【図面の簡単な説明】
【００５０】
【図１】本発明の第１実施形態におけるインクジェット記録装置の主要構成を示す外観図。
【図２】本発明の第１実施形態におけるインクジェット記録装置の主要部の制御のつながりを示すブロック図。
【図３】本発明の第１実施形態におけるインクジェット記録装置の用紙搬送部を説明する図。
【図４】本発明の第１実施形態におけるインクジェット記録装置の第１及び第２の記録ヘッドの構成を説明する図。
【図５】本発明の第１実施形態におけるインクジェット記録装置の第１及び第２の記録ヘッドのノズル列を説明する図。
【図６】本発明の第１実施形態におけるインクジェット記録装置の記録処理の流れを説明する図。
【図７】本発明の第２実施形態におけるインクジェット記録装置の主要構成を示すブロック図。
【図８】本発明の第２実施形態におけるインクジェット記録装置の主要構成を示す外観図。
【図９】本発明の第２実施形態におけるインクジェット記録装置のベルト帯電部を説明する図。
【符号の説明】
【００５１】
１，１０…インクジェット記録装置、ＨＤ１…第１の記録ヘッド、ＨＤ２…第の記録ヘッド、ＣＶ…用紙搬送部、ＣＶ１…第１の搬送部、ＣＶ２…第２の搬送部、Ｖ１ａ〜Ｖ１ｄ，Ｖ２ａ〜Ｖ２ｄ…搬送ベルト、ＶＣ…ベルト帯電部、ＶＣ１…第１のベルト帯電部、ＶＣ２…第２のベルト帯電部
【図１】
2006256108.tif 000003
【図２】
2006256108.tif 000004
【図３】
2006256108.tif 000005
【図４】
2006256108.tif 000006
【図５】
2006256108.tif 000007
【図６】
2006256108.tif 000008
【図７】
2006256108.tif 000009
【図８】
2006256108.tif 000010
【図９】
2006256108.tif 000011